(57)【要約】【目的】    簡単に看板面を交換することができ、短期間だけ掲げる看板にも対応可能な上下動式看板とする。【構成】  表示位置Ｐ１と、この表示位置Ｐ１より下方の取替位置Ｐ２との間にわたって看板面２００を上下動させることが可能な上下動式看板であって、略門形の本体部１００と、この本体部１００の向かい合って立てられた一対の支柱部に掛けわたされた略額縁状のガイド部３００と、このガイド部３００に看板面２００が収納された状態である表示位置Ｐ１とこの表示位置より下方の取替位置Ｐ２との間にわたって看板面２００を上下動させる上下動機構４００とを備えている。【選択図】      図２
2006065229.tif 000002
【特許請求の範囲】
【請求項１】
表示位置と、この表示位置より下方の取替位置との間にわたって看板面を上下動させることが可能な上下動式看板において、略門形の本体部と、この本体部の向かい合って立てられた一対の支柱部に掛けわたされた略額縁状のガイド部と、このガイド部に看板面が収納された状態である表示位置と、この表示位置より下方の取替位置との間にわたって看板面を上下動させる上下動機構とを具備したことを特徴とする上下動式看板。
【請求項２】
前記上下動機構は、前記一対の支柱部に前記ガイド部より上方において掛けわたされた横梁部に設けられた複数個の滑車と、一方の支柱部に取り付けられたウインチと、前記看板面の上端部に接続され、前記ウインチで巻き取られるワイヤとを具備しており、前記ワイヤは前記滑車にガイドされていることを特徴とする請求項１記載の上下動式看板。
【請求項３】
前記ガイド部の下方には、取替位置にある看板面が完全にガイド部から外れるだけのスペースが設けられていることを特徴とする請求項１又は２記載の上下動式看板。
【発明の詳細な説明】
【技術分野】
【０００１】
本発明は、例えば、各種広告等を表示する看板、特に交換が簡単な上下動式看板に関する。
【背景技術】
【０００２】
従来の看板は、中長期の提示が前提であり、短期間、例えば１〜４週間程度で交換する看板というものはなかった。個人商店等の小規模店舗では、短期間であるならば、手書きのポスター等で対応し、中規模・大規模店舗では、電工掲示板等で対応していることが多かった。
【０００３】
例えば、看板としては、特開２００４−１９１５７８号公報に示される看板用フレームのごとく『表示パネルを着脱可能な枠体と、その枠体を支持する支柱とを備え、支柱は枠体内に挿入され、その長手方向２個所以上が該枠体に固定されている看板用フレームにおいて、枠体が４つのコーナー部材と、それらコーナー部材同士を縦横に連結する中間部材とによって形成され、コーナー部材及び中間部材は内外両面にメッキが施された角パイプによって構成され、枠体と支柱及びコーナー部材と中間部材は留め具によって固定されていることを特徴とする看板用フレーム。』がある。
【０００４】
【特許文献１】特開２００４−１９１５７８号公報
【発明の開示】
【発明が解決しようとする課題】
【０００５】
しかしながら、上述した特許文献１に記載されたものは、コーナー部材と中間部材とを連結して枠体を組み立て、組み立てた枠体に支柱を取り付け、支柱の台座を土台にボルト留めし、枠体に表示パネルを取り付ける。このように、表示パネルの取付作業はかなり大がかりな作業となるため、短期間で交換するようなものには適さないという不都合がある。
【０００６】
本発明は、上記事情に鑑みて創案されたもので、簡単に看板面を交換することができ、短期間だけ掲げる看板にも対応可能な上下動式看板を提供することを目的としている。
【課題を解決するための手段】
【０００７】
本発明に係る上下動式看板は、表示位置と、この表示位置より下方の取替位置との間にわたって看板面を上下動させることが可能な上下動式看板であって、略門形の本体部と、この本体部の向かい合って立てられた一対の支柱部に掛けわたされた略額縁状のガイド部と、このガイド部に看板面が収納された状態である表示位置と、この表示位置より下方の取替位置との間にわたって看板面を上下動させる上下動機構とを備えている。
【発明の効果】
【０００８】
本発明に係る上下動式看板は、看板面を取替位置にまで引き下げると簡単に看板面を新たな看板面と交換することができるので、短期間だけ掲げる看板にも対応可能となっている。
【０００９】
また、前記上下動機構は、前記一対の支柱部に前記ガイド部より上方において掛けわたされた横梁部に設けられた複数個の滑車と、一方の支柱部に取り付けられたウインチと、前記看板面の上端部に接続され、前記ウインチで巻き取られるワイヤとを具備しており、前記ワイヤは前記滑車にガイドされるようになっているので、簡単な構成でメンテナンスを容易とすることが可能である。
【００１０】
さらに、前記ガイド部の下方には、取替位置にある看板面が完全にガイド部から外れるだけのスペースが設けられているので、簡単に看板面の交換を行うことができる。
【発明を実施するための最良の形態】
【００１１】
図１は本発明の実施の形態に係る上下動式看板の概略的正面図、図２は本発明の実施の形態に係る上下動式看板において看板面が取替位置にある状態の概略的正面図、図３は本発明の実施の形態に係る上下動式看板において看板面が取替位置にある状態の概略的Ａ−Ａ断面図である。
【００１２】
本発明の実施の形態に係る上下動式看板は、表示位置Ｐ１と、この表示位置Ｐ１より下方の取替位置Ｐ２との間にわたって看板面２００を上下動させることが可能な上下動式看板であって、略門形の本体部１００と、この本体部１００の向かい合って立てられた一対の支柱部に掛けわたされた略額縁状のガイド部３００と、このガイド部３００に看板面２００が収納された状態である表示位置Ｐ１とこの表示位置より下方の取替位置Ｐ２との間にわたって看板面２００を上下動させる上下動機構４００とを備えている。
【００１３】
前記本体部１００は、図１等に示されるように、地面Ｇに立設される一対の支柱部１１０と、この支柱部１１０の上端付近で一対の支柱部１１０の間に掛けわたされる横梁部１２０とを有しており、全体として略門形に構成されている。なお、この本体部１００を構成する支柱部１１０の高さは５１００ｍｍ程度であり、横梁部１２０の長さは３６００ｍｍ程度の大きさのものを想定しているが、これに限定されるものでないことはいうまでもない。
【００１４】
前記横梁部１２０の中心軸線Ｌを対称軸として線対称の位置に滑車４１０が取り付けられている。この滑車４１０は、後述する上下動機構４００の一部を構成するものである。また、この横梁部１２０には、横長四角状の小型看板面１３０が取り付けられている。この小型看板面１３０は、前記滑車４１０を隠すことができるように、横梁部１２０の前面及び後面にそれぞれ取り付けられている。
【００１５】
前記看板面２００は、軽量樹脂板を両面から薄いアルミ板で挟み込んだいわゆるアルミ複合板が用いられる。この看板面２００は、印刷を施したり、カッティングステッカーを貼り付けたりすることで看板として機能するようになっている。
【００１６】
かかる看板面２００の上端部には、看板面２００の中心縦軸Ｌ（横梁部１２０の中心軸線Ｌと同一）を対称軸として線対称の位置に２箇所に後述するワイヤ４２０が接続される接続具２１０が取り付けられている。従って、看板面２００を本体部１００に取り付けると、前記上下動機構４００の一部を構成する滑車４１０の真下に前記接続具２１０が位置することになる。
【００１７】
一方、前記ガイド部３００は、略ロ字形状の２つの同じ形状、サイズの枠体３１０から構成されている。２つの枠体３１０は、看板面２００の厚さ寸法より若干大きな間隔を空けて一対の支柱部１１０に取り付けられている。従って、この２つの枠体３１０の間には、看板面２００が入り込むことができるようになっているのである。このような２つの枠体３１０から構成されるガイド部３００は、上縁部と下縁部とが開放されている。
【００１８】
また、前記上下動機構４００は、前記ワイヤ４２０を巻き取るためのウインチ４３０を有している。このウインチ４３０は、一方の支柱部２２０の下方側面、具体的には操作する人の手が届く程度の高さの位置に取り付けられている。また、前記横梁部１２０の端部は、支柱部１１０の側面に突出しており、その突出した部分に滑車４４０が取り付けられている。この滑車４４０は、前記ウインチ４３０の真上に位置するとともに、前記滑車４１０の真横に位置していることになる。
【００１９】
次に、このように構成された上下動式看板での看板面２００の交換作業について説明する。
まず、表示位置Ｐ１（ガイド部３００に看板面２００が収納された状態である）にある看板面２００をウインチ４３０を操作して表示位置Ｐ１から下方に下ろす。すなわち、看板面２００を完全に看板面２００がガイド部３００から外れた位置である取替位置Ｐ２にまで下ろす。この状態では、ガイド部３００の下方にあるスペースに看板面２００が位置しているので、看板面２００からワイヤ４２０を取り外して新たな看板面２００に簡単に交換することができる。
【００２０】
新たな看板面２００にワイヤ４２０を取り付け、ウインチ４３０を操作して新たな看板面２００を取替位置Ｐ２から表示位置Ｐ１にまで引っ張り上げる。表示位置Ｐ１にる看板面２００は、ガイド部３００を構成する枠体３１０によってその四辺を挟み込まれているため、多少の風には揺れることはない。
【図面の簡単な説明】
【００２１】
【図１】本発明の実施の形態に係る上下動式看板の概略的正面図である。
【図２】本発明の実施の形態に係る上下動式看板において看板面が取替位置にある状態の概略的正面図である。
【図３】本発明の実施の形態に係る上下動式看板において看板面が取替位置にある状態の概略的Ａ−Ａ断面図である。
【符号の説明】
【００２２】
１００    本体部
１１０    支柱部
１２０    横梁部
２００    看板面
３００    ガイド部
４００    上下動部
【図１】
2006065229.tif 000003
【図２】
2006065229.tif 000004
【図３】
2006065229.tif 000005